(57)【特許請求の範囲】
【請求項１】
各種計測装置を接続した分電盤と、各種計測装置の計測結果を表示できる表示部及び操作部を備えたインターホンと、前記インターホン及び分電盤間で信号を送受する伝送手段とを備え、前記インターホンの操作部は、各種計測装置の計測結果である表示部の表示内容の切替が可能であるとともに、分電盤の制御部に接続した各種計測装置への設定情報を、伝送手段を介して分電盤の制御部に入力可能なものであることを特徴とする住宅監視システム。
【請求項２】
インターホンの操作部は各種計測装置に優先順位を設定可能であり、インターホンに内蔵された制御部は記憶手段に計測結果を記憶するとともに、優先順位に従って信号を処理することを特徴とする請求項１に記載の住宅監視システム。
【発明の詳細な説明】
【０００１】
【発明の属する技術分野】
本発明は、インターホンを用いた住宅監視システムに関するものである。
【０００２】
【従来の技術】
住宅に設置されている分電盤には、電力、過電流、漏電等の計測センサが内蔵されており、その計測結果の表示やそれに基づく警報が行なえるようになっている。しかしこれらの表示等はいつも人が居る居間等から離れた場所に設置されている分電盤の内部で行なわれているため、計測結果の表示や警報に接するには分電盤のところまで見に行かねばならず、警報に気付かない場合もあった。
【０００３】
一方、ガス漏れ、火災等の検出装置に接続して警報を発したり、ガス・水道の積算流量計等の各種計測装置を接続してそれらの積算値を表示させたり、使用料金を表示させたりする住宅情報盤と、居間や台所などに設置されているインターホンとを組み合わせることも行われている。
【０００４】
しかしこのような住宅情報盤を用いても、従来は各種計測装置の設定変更はそれぞれの計測装置の設置場所にて行わなければならなかった。この設定とは例えば契約容量の設定、電力使用量に関する警告値の設定、電力料金積算値の設定、計測装置で用いられる時刻の設定等である。また、従来の住宅情報盤はガス漏れ、火災等の検出装置やガス・水道の積算流量計等の各種計測装置に接続されているため、一度設置するとその後に移設することが容易ではなく、また無線化も困難であった。
【０００５】
【発明が解決しようとする課題】
本発明は上記した従来の問題点を解決し、居間等に設置されたインターホンを利用して、電気関係の表示や警報のみならず電力、ガス、水道その他の各種計測装置の表示や積算料金を知ることができ、しかも各種計測装置の設定変更も行なうことができる住宅監視システムを提供するためになされたものである。また本発明の他の目的は、インターホンの移設や無線化が容易である住宅監視システムを提供することである。本発明の更に他の目的は、分電盤やインターホンが複数個存在する場合にも、上記の操作や表示を適確に行なわせることができる住宅監視システムを提供することである。
【０００６】
【課題を解決するための手段】
上記の課題を解決するためになされた本発明の住宅監視システムは、各種計測装置を接続した分電盤と、各種計測装置の計測結果を表示できる表示部及び操作部を備えたインターホンと、前記インターホン及び分電盤間で信号を送受する伝送手段とを備え、前記インターホンの操作部は、各種計測装置の計測結果である表示部の表示内容の切替が可能であるとともに、分電盤の制御部に接続した各種計測装置への設定情報を、伝送手段を介して分電盤の制御部に入力可能なものであることを特徴とするものである。なお、インターホンの操作部は各種計測装置に優先順位を設定可能であり、インターホンに内蔵された制御部は記憶手段に計測結果を記憶するとともに、優先順位に従って信号を処理するものであることが好ましい。
【０００７】
本発明の住宅監視システムにおいては、各種計測装置が接続された分電盤とインターホンとを伝送手段を介して接続し、インターホンの表示部に各種計測装置の計測結果を表示できるのみならず、インターホンの操作部から表示部の表示内容の切替を行うことができるとともに、各種計測装置の設定変更を行なうことができる。すなわち、インターホンの操作部から分電盤に対して信号を送ってこの分電盤に接続されている各種計測装置の設定を変更することができ、また各種計測装置の出力信号を要求して表示部の表示内容の切替を行なうこともできる。従って、住人は居間等に設置されているインターホンの表示部を通じて住宅に設置された各所計測装置から必要情報を得ることができるとともに、インターホンから全ての操作を行なうことができる。
【０００８】
【発明の実施の形態】
以下に本発明の好ましい実施の形態を示す。
図１は本発明の住宅監視システムの外観図であり、１は分電盤、２はインターホンである。分電盤１には、電力計測装置、積算電力計、電圧・電流検出器、漏電検出器、過電流検出器、力率測定器等を内蔵させることができる。またこの分電盤１には、ガスセンサ３、煙センサ４、熱センサ５、ガス量計６、水道計７などの各種計測装置の少なくとも一つが接続されている。このほか、侵入者感知装置、時計、電気、ガス、水道等の料金計算器などを接続してもよい。なお、図１では各種計測装置を分電盤１の制御部８に直接接続したが、途中にセンサー盤を設けて各種計測装置を接続し、センサー盤と分電盤とを伝送手段で接続してもよい。
【０００９】
インターホン２と分電盤１とは、双方向に信号を送受することができる伝送手段９によって接続されている。伝送手段９は有線・無線のいずれであってもよいが、図１ではインターホン２と分電盤１との双方に伝送制御部を設け、それらの間を伝送線１０によって接続している。
【００１０】
インターホン２は表示部１１と操作部１２とを備えている。表示部１１は例えばテレビ画面であって、インターホン２が玄関等に設置された子機１３と通話中には訪問者の映像を映すものであるが、非通話中には各種計測装置の計測結果を表示することができる。
【００１１】
例えば分電盤１内で計測されたリアルタイムの電力消費量を表示させたい場合には、インターホン２の操作部１２を人が操作して表示切替えを行うと、インターホン２の制御部１４から要求信号が出力されて分電盤１の制御部８に伝送され、制御部８に接続された電力計からリアルタイムの電力消費量の信号が伝送手段９を介して返信される。返信信号が正常に届いた場合には肯定信号が制御部１４から制御部８へ送られるとともに、インターホン２の表示部１１にリアルタイムの電力消費量が表示される。
【００１２】
このほか分電盤１の情報としては、月単位の積算電力量、週単位の積算電力量、日単位の積算電力量、ピーク電力量、電力警告設定値等があり、これらはインターホン２の操作部１２を操作して表示切替えを行うことにより、表示部１１に表示される。また同様の操作により、分電盤１の制御部８に接続されているガスセンサ３、煙センサ４、熱センサ５、ガス量計６、水道計７などの各種計測装置の計測結果も表示部１１に表示させることができる。
【００１３】
なお、操作部１２を人が操作して表示部１１の表示内容を切り替えるほか、各種計測装置の表示内容を自動切替えするように操作部１２から設定しておくこともできる。もちろん、警告出力があるときには他の情報を表示中であっても自動切替えにより警告表示を行うことが好ましい。
【００１４】
また、上記のようにインターホン２の操作部１２を操作して表示切替えを行うことによって、分電盤１の制御部８からは各種データがインターホン２に送信されてくるが、切替えを頻繁に行うと伝送装置が飽和してしまうおそれがあるため、インターホン２には重要度の低い各種データを短略化して伝送することが好ましい。例えば、電気、ガス、水道の使用量を「大」、「中」、「小」を意味する「Ｆ」、「Ｍ」、「Ｓ」等の一文字のデータに置き換えて送信し、インターホン２の表示部１１には使用量「大」、「中」、「小」のみをリアルタイムに表示する。このようにすれば、伝送装置に負担をかけず使用状態をリアルタイムに表示することができる。実際の使用量を表すデータは比較的長い時間間隔で送ればよい。
【００１５】
なお、上記した各種計測装置は分電盤１の制御部８に接続されているが、各入力部にディップスイッチ等によりアドレスを設定し、計測装置の増設に対応できるようにしておくことが好ましい。
【００１６】
また本発明においては、分電盤１の制御部８に接続した各種計測装置への設定情報をインターホン２の操作部１２から入力できるようにしておく。具体的には使用電圧、線様式、ブレーカの定格電流、カレンダーの設定、時刻設定等である。また月、週、日単位の電力警告を行う値の設定、月毎の電力積算の開始日の設定、電力料金積算値の設定などの料金関係の設定も含まれる。これによって、従来のように各種計測装置の設置場所まで行かなくても、設定情報の入力が可能となる。
【００１７】
さらに、インターホン２の操作部１２は各種計測装置に優先順位を設定可能であり、インターホン２に内蔵された制御部１４は、記憶装置に計測結果を一時的に保持し、優先順位に従って信号を処理することが可能である。すなわち、一定時間内にインターホン２が受信した信号は、その計測結果を記憶装置に一時的に保持し、制御部１４は一定時間間隔で優先順位に従ってより緊急度の高い信号を表示し処理するものである。例えば、過電流警報と煙センサーからの警告信号では、より緊急度の高い煙センサーからの警告信号をインターホンに表示し、図示しないスピーカより警報を発するものである。また、優先順位は使用者および使用状況によって異なるため、インターホンの操作部より設定することができる。
【００１８】
上記の説明では単一の分電盤１と単一のインターホン２が接続されていたが、分電盤１やインターホン２が複数個存在する場合には、インターホン２及び分電盤１に固有の装置識別番号を持たせ、信号を送信する時に装置識別番号を同時に送信する。これにより1つのインターホン２で別の場所にある複数の分電盤１，１の状態を操作、監視でき、また重要な分電盤１については、複数の場所からインターホン２により操作、監視できるようになる。
【００１９】
図２は上記の機能を得るための内部構成の一例を示す図である。
分電盤１の内部には従来と同様に電流制限器２１、主幹ブレーカ２２、分岐ブレーカ２３等が配置されているほか、不揮発メモリ２４、デジタル出力部２５、アナログ入力部２６、デジタル入力部２７、双方向インターフェイス２８を備えた伝送制御部２９が設けられている。これらは前記した制御部８を構成するものである。
【００２０】
デジタル出力部２５には、電灯等の負荷３０が電源供給線３１を介して接続されている。アナログ入力部２６には、分電盤内部の電圧情報、負荷電流検出器３２により検出された負荷電流情報、主幹ブレーカ２２の警報スイッチ３３により検出された警報情報などが入力されている。デジタル入力部２７には、各所計測機器からの計測値が入力されている。これらの情報は伝送制御部２９から伝送線１０を介してインターホン２の伝送制御部３４に送信され、また逆にインターホン２からの信号を受信することができる。
【００２１】
図３〜図５はインターホン２の表示部１１の表示例を示す図である。図３は子機１３との通話が行われていない状態において、電気、ガス、水道等の使用量を自動表示するもので、▲１▼は１日の使用電力料金の表示、▲２▼は１月毎の使用電力料金、ガス料金、水道料金の表示、▲３▼は積算電力料金、ガス料金、水道料金の表示、▲４▼は昨年の月別使用電力量の表示、▲５▼はグラフによる節電お知らせの表示、▲６▼は現在の使用電力が許容限界の何％程度であるかを示す停電お知らせの表示である。これらの▲１▼〜▲６▼の内容は、自動的にまたは操作部１２からの操作により切り替えて表示される。図４は各種計測装置が異常を検知したときの表示例であり、図５は非常時における連動出力の表示例である。これらの非常時の表示は割り込み信号により優先表示される。
【００２２】
【発明の効果】
以上に説明したように、本発明の住宅監視システムによれば、インターホンの表示部に各種計測装置の計測結果を表示するため、人が居る可能性の高いところで電気、ガス、水道等を監視することができ、省エネの意識を喚起することができる。またインターホンから各種計測センサーの設定変更が可能であるので、従来のように各種計測装置の設置場所まで行って設定情報を入力する必要がない。さらに、各種計測装置に優先順位を付与できるため、緊急度の高い信号の順に処理することができる。また分電盤に各種センサーを全て接続したため、インターホンの移設が容易である上、インターホンを無線化し携帯することが可能となる。更に複数の分電盤の状態を１つのインターホンで監視することが可能となり、また１つの分電盤を複数のインターホンで監視することも可能となる等の多くの利点がある。
【図面の簡単な説明】
【図１】本発明の実施形態を示す住宅監視システムの外観図である。
【図２】本発明の実施形態を示す内部構成図である。
【図３】平常時における表示部の表示例を示す図である。
【図４】各種計測装置が異常を検知したときの表示例である。
【図５】非常時における連動出力の表示例である。
【符号の説明】
１  分電盤
２  インターホン
３  ガスセンサ
４  煙センサ
５  熱センサ
６  ガス量計
７  水道計
８  分電盤の制御部
９  伝送手段
１０  伝送線
１１  インターホンの表示部
１２  インターホンの操作部
１３  インターホンの子機
１４  インターホンの制御部
２１  電流制限器
２２  主幹ブレーカ
２３  分岐ブレーカ
２４  不揮発メモリ
２５  デジタル出力部
２６  アナログ入力部
２７  デジタル入力部
２８  双方向インターフェイス
２９  分電盤の伝送制御部
３０  負荷
３１  電源供給線
３２  負荷電流検出器
３３  警報スイッチ
３４  インターホンの伝送制御部
【図１】
0003904404.tif 000002
【図２】
0003904404.tif 000003
【図３】
0003904404.tif 000004
【図４】
0003904404.tif 000005
【図５】
0003904404.tif 000006